(57)【要約】【課題】アプリケーションを一括でインストールすることによって、アプリケーションのインストールに要する時間を短縮することができる。【解決手段】インストール対象のソフトであるアプリケーションを記憶する記憶媒体と、記憶媒体に接続されるポートを有する通信手段、操作指示を受け付ける操作部及び制御処理を実行する制御主手段を備える電子機器とを具備し、電子機器の制御手段は、操作部が受け付ける操作指示に基づいて記憶媒体に記憶されるアプリケーションのインストール処理を実行するインストールシステムであって、電子機器は、表示部をさらに具備し、電子機器の制御手段は、記憶媒体に記憶されているアプリケーションの一覧を表示部に表示させ、操作部が受け付けた操作指示に基づいて選択されたアプリケーションの一括インストール処理を実行する。【選択図】図１
2015032031.tif 000002
【特許請求の範囲】
【請求項１】
インストール対象のソフトであるアプリケーションを記憶する記憶媒体と、
前記記憶媒体に接続されるポートを有する通信手段、操作指示を受け付ける操作部及び制御処理を実行する制御主手段を備える電子機器とを具備し、
前記電子機器の制御手段は、前記操作部が受け付ける操作指示に基づいて前記記憶媒体に記憶されるアプリケーションのインストール処理を実行するインストールシステムであって、
前記電子機器は、表示部をさらに具備し、
前記電子機器の前記制御手段は、前記記憶媒体に記憶されている前記アプリケーションの一覧を前記表示部に表示させ、前記操作部が受け付けた操作指示に基づいて選択されたアプリケーションの一括インストール処理を実行することを特徴とするインストールシステム。
【請求項２】
前記記憶媒体には、前記アプリケーションに加え、前記アプリケーションのプロダクトキー及び前記アプリケーションと前記プロダクトキーとの対応関係が登録された管理ファイルを記憶し、
前記電子機器の前記制御手段は、前記管理ファイルを参照し、プロダクトキーが存在するアプリケーションと、プロダクトキーが存在しないアプリケーションとを区別するように前記表示部に表示処理を実行させることを特徴とする請求項１に記載のインストールシステム。
【請求項３】
前記電子機器の前記制御手段は、プロダクトキーが存在しないアプリケーションをインストール対象から除外するために、選択不可として前記表示部に表示させることを特徴とする請求項２に記載のインストールシステム。
【請求項４】
前記電子機器の前記制御手段は、プロダクトキーが存在しないアプリケーションについては期間あるいは起動回数限定付きのアプリケーションとしてインストールを許可することを特徴とする請求項２に記載のインストールシステム
【請求項５】
前記プロダクトキーには、インストールを許可する前記電子機器を識別するための情報が含まれていることを特徴とする請求項２〜４のいずれか一項に記載のインストールシステム。
【発明の詳細な説明】
【技術分野】
【０００１】
本発明は、インストールシステムに関する。
【背景技術】
【０００２】
近年、複写機や複合機等の画像形成装置は、下記特許文献１〜４に記載されたパーソナルコンピュータ等の機器のように、ＵＳＢ（Universal Serial Bus）メモリーやＳＤ（Secure Digital）メモリーカード等の記憶媒体との間で各種データの授受が可能になっている。このような画像形成装置では、客先の要望に応じた個別のアプリケーション（例えば、伝票印刷を行うためのアプリケーション等）をインストールする場合には、アプリケーションが記憶された上記記憶媒体がポートに装着された状態で、インストール操作が行われることによって、記憶媒体に記憶されたアプリケーションのインストール処理が実行される。
【先行技術文献】
【特許文献】
【０００３】
【特許文献１】特開２０１１−２５８１６７号公報
【特許文献２】特開２００５−９２７４５号公報
【特許文献３】特開２００５−９２８４８号公報
【特許文献４】特開２００６−１４６３５８号公報
【発明の概要】
【発明が解決しようとする課題】
【０００４】
ところで、上記従来技術では、複数のアプリケーションを機器にインストールする場合には、アプリケーション毎にインストール操作を行う必要があり、各インストール操作が大変煩わしかった。特に、複数台の機器にアプリケーションをインストールする場合には、機器毎に、アプリケーションを１つ１つインストールする操作を行わなければならないので、インストール作業に長い時間を要していた。
【０００５】
本発明は、上述した事情に鑑みてなされたものであり、アプリケーションを一括でインストールすることによって、アプリケーションのインストールに要する時間を短縮することを目的とする。
【課題を解決するための手段】
【０００６】
上記目的を達成するために、本発明では、第１の解決手段として、インストール対象のソフトであるアプリケーションを記憶する記憶媒体と、前記記憶媒体に接続されるポートを有する通信手段、操作指示を受け付ける操作部及び制御処理を実行する制御主手段を備える電子機器とを具備し、前記電子機器の制御手段は、前記操作部が受け付ける操作指示に基づいて前記記憶媒体に記憶されるアプリケーションのインストール処理を実行するインストールシステムであって、前記電子機器は、表示部をさらに具備し、前記電子機器の前記制御手段は、前記記憶媒体に記憶されている前記アプリケーションの一覧を前記表示部に表示させ、前記操作部が受け付けた操作指示に基づいて選択されたアプリケーションの一括インストール処理を実行する、という手段を採用する。
【０００７】
本発明では、第２の解決手段として、上記第１の解決手段において、前記記憶媒体には、前記アプリケーションに加え、前記アプリケーションのプロダクトキー及び前記アプリケーションと前記プロダクトキーとの対応関係が登録された管理ファイルを記憶し、前記電子機器の前記制御手段は、前記管理ファイルを参照し、プロダクトキーが存在するアプリケーションと、プロダクトキーが存在しないアプリケーションとを区別するように前記表示部に表示処理を実行させる、という手段を採用する。
【０００８】
本発明では、第３の解決手段として、上記第２の解決手段において、前記電子機器の前記制御手段は、プロダクトキーが存在しないアプリケーションをインストール対象から除外するために、選択不可として前記表示部に表示させる、という手段を採用する。
【０００９】
本発明では、第４の解決手段として、上記第２の解決手段において、前記電子機器の前記制御手段は、プロダクトキーが存在しないアプリケーションについては期間あるいは起動回数限定付きのアプリケーションとしてインストールを許可する、という手段を採用する。
【００１０】
本発明では、第５の解決手段として、上記第２〜第４のいずれか１つの解決手段において、前記プロダクトキーには、インストールを許可する前記電子機器を識別するための情報が含まれている、という手段を採用する。
【発明の効果】
【００１１】
本発明によれば、電子機器の制御手段は、記憶媒体に記憶されているアプリケーションの一覧を表示部に表示させ、操作部が受け付けた操作指示に基づいて選択されたアプリケーションの一括インストール処理を実行することによって、アプリケーションのインストールに要する時間を短縮することができる。
【図面の簡単な説明】
【００１２】
【図１】本発明の一実施形態に係る複合機Ａの機能ブロック図である。
【図２】本発明の一実施形態における画像形成部４の機械構成を示す模式図である。
【図３】本発明の一実施形態に係る複合機Ａの画面遷移を示す図である。
【図４】本発明の一実施形態に係る複合機Ａの動作を示すフローチャートである。
【発明を実施するための形態】
【００１３】
以下、図面を参照して、本発明の一実施形態について説明する。
本実施形態に係るインストールシステムは、図１に示すように、複合機Ａ（電気機器）及びＵＳＢ（Universal Serial Bus）メモリーＢから構成されている。
複合機Ａは、電子写真方式に基づいて記録紙に画像を形成する画像形成装置であり、図１に示すように、操作表示部１、画像読取部２、画像データ記憶部３、画像形成部４、通信部５、ＵＳＢ通信部６（通信手段）及び演算制御部７（制御手段）を備える。なお、図１における実線矢印は、データの流れ示し、点線矢印は、制御信号や検出信号の流れを示す。
【００１４】
操作表示部１は、操作表示制御部１１、ハードウェアキーである操作キー１２及びソフトウェアキーや各種画像を表示するタッチパネル１３を備えており、ユーザーと複合機Ａとを関係付けるマンマシンインターフェイスとして機能する。
操作表示制御部１１は、演算制御部７による制御の下で、上記操作キー１２及びタッチパネル１３を制御する制御装置であり、演算処理装置、内部メモリー及び電気的に相互接続された操作キー１２及びタッチパネル１３と信号の送受信を行うインターフェイス回路等から構成されており、内部メモリーに記憶された操作表示制御プログラムに基づいて操作表示部１の全体動作を制御する。
【００１５】
例えば、この操作表示制御部１１は、タッチパネル１３に表示信号を出力することによりタッチパネル１３に操作ボタンや各種画像を表示させる。また、操作表示制御部１１は、操作キー１２またはタッチパネル１３から入力される操作信号に基づいていずれの操作キー１２またはタッチパネル１３に表示される操作ボタンが操作されたか判定し、判定結果に基づいて操作結果信号を演算制御部７に出力する。
【００１６】
操作キー１２は、ハードウェアキーとして操作表示部１に物理的に備えられたものであり、例えば、電源キー、スタートキー、ストップ／クリアキー及びテンキー（数値入力キー）等がある。操作キー１２では、ユーザーによって上述した各キーが押下されると、各キーから操作信号を操作表示制御部１１に出力する。
【００１７】
タッチパネル１３は、周知のように表示パネルの表示面に抵抗膜方式等の透明な面状押圧センサーを設けたものであり、操作表示制御部１１から入力される表示信号に基づいて表示パネルに表示した操作ボタンをユーザーの指等によって押圧されると、面状押圧センサーが押圧位置（押圧座標）を示す操作信号を操作表示制御部１１に出力するものである。
【００１８】
画像読取部２は、図２に示すようにＡＤＦ（Automatic document feeder：自動原稿送り装置）２０及びフラットベッド読取部３０から構成されており、演算制御部７から入力される制御信号に基づいてＡＤＦ２０により給紙される原稿またはユーザーによりフラットベッド読取部３０上に載置された原稿の表面画像（原稿画像）を読み取って原稿画像データに変換し、この原稿画像データを画像データ記憶部３に出力する。
【００１９】
画像データ記憶部３は、半導体メモリーまたはハードディスク装置等であり、演算制御部７から入力される制御信号に基づいて上記原稿画像データ、通信部５が外部のクライアントコンピューターから受信するプリント画像データあるいは通信部５が外部のファクシミリ装置等から受信するファクシミリ画像データを記憶すると共に、これら画像データを演算制御部７から入力される制御信号に基づいて読み出して画像形成部４に出力する。
【００２０】
画像形成部４は、演算制御部７から入力される制御信号に基づいて、給紙カセット４５から取り出した記録紙Ｒに画像データ記憶部３から読み出した画像データに基づくトナー画像を画像形成するものである。この画像形成部４は、図２に示すように、ベルトローラー４１、中間転写ベルト４２、トナーの各色（Ｙ，Ｍ，Ｃ，Ｋ）に対応する４つの画像形成ユニット４３Ｙ，４３Ｃ，４３Ｍ，４３Ｋ、１次転写ローラー４４Ｙ，４４Ｃ，４４Ｍ，４４Ｋ、給紙カセット４５、ピックアップローラー４６、搬送ローラー４７、レジストローラー４８、２次転写ローラー４９、分離除電部５０、定着ローラー５１、排紙ローラー５２、排紙トレイ５３、反転ローラー５４、分岐ガイド５５、３対の反転紙搬送ローラー５６及び記録紙センサー５７を備えている。
【００２１】
ベルトローラー４１は、図示するように、離間して配設された３つのローラー、つまり駆動ローラー４１ａ、従動ローラー４１ｂ及びテンションローラー４１ｃからなる。すなわち、駆動ローラー４１ａと従動ローラー４１ｂとは水平方向に一定距離を空けて配置され、テンションローラー４１ｃは、このような駆動ローラー４１ａと従動ローラー４１ｂとの間かつ若干上方に変位した位置に配置されている。中間転写ベルト４２は、このようなベルトローラー４１（駆動ローラー４１ａ、従動ローラー４１ｂ、テンションローラー４１ｃ）に架け渡された無端ベルトであり、駆動ローラー４１ａによって矢印で示す方向に走行する。
【００２２】
すなわち、中間転写ベルト４２は、駆動ローラー４１ａと従動ローラー４１ｂとの間においては水平方向に走行する。また、上述した駆動ローラー４１ａは、駆動力を発生するモーターが軸結合されたローラーであり、モーターの動力によって中間転写ベルト４２を矢印方向に走行させる。上記従動ローラー４１ｂは、自由回転するように設けられたフリーローラーであり、中間転写ベルト４２を駆動ローラー４１ａの動力に従って案内する。また、上記テンションローラー４１ｃは、回転軸が可動可能に設けられ、所定の付整力で中間転写ベルト４２を押圧することにより一定のテンション（張力）を中間転写ベルト４２に付与するローラーである。
【００２３】
画像形成ユニット４３Ｙ，４３Ｃ，４３Ｍ，４３Ｋは、図示するように、上述した中間転写ベルト４２の水平走行部位に所定間隔を空けて設けられている。これら画像形成ユニット４３Ｙ，４３Ｃ，４３Ｍ，４３Ｋのうち、画像形成ユニット４３Ｙは、イエロー（Ｙ）のトナー画像を形成するユニットであり、従動ローラー４１ｂに最も近い位置に設けられている。画像形成ユニット４３Ｃは、シアン（Ｃ）のトナー画像を形成するユニットであり、上記画像形成ユニット４３Ｙの次に従動ローラー４１ｂに近い位置に設けられている。画像形成ユニット４３Ｍは、マゼンダ（Ｍ）のトナー画像を形成するユニットであり、上記画像形成ユニット４３Ｃの次に従動ローラー４１ｂに近い位置に設けられている。画像形成ユニット４３Ｋは、ブラック（Ｋ）のトナー画像を形成するユニットであり、駆動ローラー４１ａに最も近い位置に設けられている。
【００２４】
このような画像形成ユニット４３Ｙ，４３Ｃ，４３Ｍ，４３Ｋは、各々に感光体ドラムａｙ，ａｃ，ａｍ，ａｋ、帯電部ｂｙ，ｂｃ，ｂｍ，ｂｋ、レーザースキャニングユニットｃｙ，ｃｃ，ｃｍ，ｃｋ、現像ユニットｄｙ，ｄｃ，ｄｍ，ｄｋ及びクリーナーｅｙ，ｅｃ，ｅｍ，ｅｋを構成要素としている。
【００２５】
すなわち、画像形成ユニット４３Ｙは、感光体ドラムａｙ、帯電部ｂｙ、レーザースキャニングユニットｃｙ、現像ユニットｄｙ及びクリーナーｅｙから構成され、画像形成ユニット４３Ｃは、感光体ドラムａｃ、帯電部ｂｃ、レーザースキャニングユニットｃｃ、現像ユニットｄｃ及びクリーナーｅｃから構成され、画像形成ユニット４３Ｍは、感光体ドラムａｍ、帯電部ｂｍ、レーザースキャニングユニットｃｍ、現像ユニットｄｍ及びクリーナーｅｍから構成され、画像形成ユニット４３Ｋは、感光体ドラムａｋ、帯電部ｂｋ、レーザースキャニングユニットｃｋ、現像ユニットｄｋ及びクリーナーｅｋから構成されている。
【００２６】
各感光体ドラムａｙ，ａｃ，ａｍ，ａｋは、周面が所定の感光体材料（例えばアモルファスシリコン）で形成された円筒部材である。各帯電部ｂｙ，ｂｃ，ｂｍ，ｂｋは、各感光体ドラムａｙ，ａｃ，ａｍ，ａｋの周面（感光面）を均一に帯電させるものである。各レーザースキャニングユニットｃｙ，ｃｃ，ｃｍ，ｃｋは、帯電状態の上記感光面にレーザー光を照射することにより、感光面に静電潜像を形成するものである。
【００２７】
各現像ユニットｄｙ，ｄｃ，ｄｍ，ｄｋは、内部に所定の量のトナー（正極性トナー）を収容すると共に当該トナーを感光面に供給することにより当該感光面に形成された静電潜像をトナー画像として現像する。各クリーナーｅｙ，ｅｃ，ｅｍ，ｅｋは、トナー画像の転写後の感光面に残留するトナー（残留トナー）を掻き落として除去するものである。
【００２８】
１次転写ローラー４４Ｙ，４４Ｃ，４４Ｍ，４４Ｋは、図示するように画像形成ユニット４３Ｙ，４３Ｃ，４３Ｍ，４３Ｋに対応して４つ設けられており、各々に中間転写ベルト４２を挟んだ状態で各画像形成ユニット４３Ｙ，４３Ｃ，４３Ｍ，４３Ｋの感光体ドラムａｙ，ａｃ，ａｍ，ａｋに対向配置されている。また、各１次転写ローラー４４Ｙ，４４Ｃ，４４Ｍ，４４Ｋには負極性の１次転写バイアス（高電圧）が印加されており、各１次転写ローラー４４Ｙ，４４Ｃ，４４Ｍ，４４Ｋは、この１次転写バイアスの作用によって各画像形成ユニット４３Ｙ，４３Ｃ，４３Ｍ，４３Ｋの感光体ドラムａｙ，ａｃ，ａｍ，ａｋにそれぞれ形成された各色のトナー画像を中間転写ベルト４２に転写（１次転写）させる。
【００２９】
給紙カセット４５は、Ａ４サイズやＢ５サイズ等、所定形状の記録紙Ｒを複数枚重ねた状態で収容する容器である。ピックアップローラー４６は、給紙カセット４５の上部において記録紙Ｒに圧接するように設けられ、給紙カセット４５内の記録紙Ｒを１枚づつ取り出して搬送ローラー４７に送り出すローラーである。搬送ローラー４７は、ピックアップローラー４６から給紙された記録紙Ｒをレジストローラー４８に向けて搬送するローラーである。レジストローラー４８は、搬送ローラー４７から供給された記録紙Ｒを所定のタイミングで２次転写ローラー４９に供給するローラーである。
【００３０】
２次転写ローラー４９は、中間転写ベルト４２を挟んで駆動ローラー４１ａに対向配置されたローラーであり、中間転写ベルト４２上のトナー画像を記録紙Ｒに転写（２次転写）させるものである。この２次転写ローラー４９には、負極性の２次転写バイアス（高電圧）が印加されており、２次転写ローラー４９は、この２次転写バイアスの作用によって中間転写ベルト４２上のトナー画像を記録紙Ｒに転写（２次転写）させる。
【００３１】
分離除電部５０は、演算制御部７から入力される制御信号に基づいて記録紙Ｒに向けて正極性の除電バイアスを供給する。この除電バイアスは、記録紙Ｒの帯電を中和して無帯電状態にするためのものであり、記録紙Ｒの２次転写ローラー４９からの分離を良好にするものである。分離除電部５０は、ステンレスからなる鋸歯状電極を有し、この鋸歯状電極の先端付近に電界を形成して記録紙Ｒを除電する。
【００３２】
定着ローラー５１は、内部にヒータを備えた加熱ローラー５１ａと、当該加熱ローラー５１ａに圧接する加圧ローラー５１ｂとから構成されている。この定着ローラー５１は、加熱ローラー５１ａと加圧ローラー５１ｂとで各色のトナー画像が転写された記録紙Ｒを挟み込むことにより記録紙Ｒを加熱及び加圧して、各色のトナー画像を記録紙Ｒ上に定着させる。加熱ローラー５１ａ及び加圧ローラー５１ｂは、記録紙Ｒと接触する接触面（表面）が摩擦により負極性に帯電するフッ素系材料によって形成されている。すなわち、加熱ローラー５１ａ及び加圧ローラー５１ｂは、その表面が記録紙Ｒとの摩擦により負極性に帯電する。
【００３３】
排紙ローラー５２は、定着ローラー５１から搬送されると共に分岐ガイド５５により案内された記録紙Ｒを排紙トレイ５３に向けて搬送するローラーである。排紙トレイ５３は、排紙ローラー５２から供給された記録紙Ｒを収容・保持する収容部である。反転ローラー５４は、定着ローラー５１から搬送されると共に分岐ガイド５５により案内された記録紙Ｒをスイッチバック搬送するためのローラーである。つまり、反転ローラー５４は、正転することにより定着ローラー５１から供給された記録紙Ｒを挟み込み、当該挟みこんだ状態で逆転することにより記録紙Ｒを反転紙搬送ローラー５６に向けて搬送する。
【００３４】
分岐ガイド５５は、演算制御部７から入力される制御信号に基づいて定着ローラー５１から排出された記録紙Ｒの搬送先を排紙ローラー５２または反転ローラー５４に択一的に切り替える。つまり、分岐ガイド５５は、記録紙Ｒを排紙トレイ５３に排紙する場合には、第１の姿勢（図示する点線の姿勢）になることにより記録紙Ｒの搬送先を排紙ローラー５２とし、一方、第２の姿勢（図示する実線の姿勢）になることにより記録紙Ｒの搬送先を反転ローラー５４に切り替える。
【００３５】
反転紙搬送ローラー５６は、反転ローラー５４から供給された記録紙Ｒをレジストローラー４８に向けて搬送するための搬送経路（反転経路）に設けられたローラーである。この反転紙搬送ローラー５６は、図示するように、反転経路において離間した３箇所に設けられている。記録紙センサー５７は、定着ローラー５１と分岐ガイド５５との間に配置され、定着ローラー５１を通過した記録紙Ｒの枚数を検出し、当該枚数を示す検出信号を演算制御部７に出力する。
【００３６】
このように画像形成部４では、記録紙Ｒの表面と裏面とにトナー画像を形成する両面画像形成処理が、上記反転ローラー５４、分岐ガイド５５及び反転紙搬送ローラー５６が機能することにより実行される。つまり、記録紙Ｒは、表面に画像形成されて定着ローラー５１を通過すると、表面と裏面とが反転させられた状態でレジストローラー４８に再度供給されて、裏面に画像形成される。
【００３７】
通信部５は、演算制御部７から入力される制御信号に基づいて電話回線を介して外部の複合機あるいはファクシミリ装置、またＬＡＮ（Local Area Network）を介してクライアントコンピューター等と通信を行うものである。すなわち、この通信部５は、イーサネット（登録商標）等のＬＡＮ規格に準拠した通信機能と、Ｇ３等のファクシミリ規格に準拠した通信機能とを兼ね備えたものである。
【００３８】
ＵＳＢ通信部６は、ＵＳＢ規格に対応して通信を行う通信装置であり、ＵＳＢポート６１を有する。ＵＳＢポート６１は、例えば、ユーザー（例えば、サービスマン）によってＵＳＢケーブルを介してＵＳＢメモリーＢと電気的に接続される。これにより、ＵＳＢ通信部６は、演算制御部７の制御の下、ＵＳＢメモリーＢとの間で信号を送受信する。
【００３９】
上記ＵＳＢメモリーＢは、各種データを記憶可能な不揮発性のフラッシュメモリーからなり、ＵＳＢ通信部６のＵＳＢポート６１に着脱自在な記憶媒体である。例えば、ユーザーは、複数のアプリケーションＡｐを複合機Ａにインストールする場合、インストール対象である複数のアプリケーションＡｐと、アプリケーションＡｐのプロダクトキーＰｋと、管理ファイルＫｆとを記憶させたＵＳＢメモリーＢをＵＳＢ通信部６のＵＳＢポート６１に装着する。
【００４０】
上記プロダクトキーＰｋとは、アプリケーションＡｐの不正コピーを防止するために、アプリケーションＡｐ毎に設けられた各アプリケーションＡｐ固有の数字、文字列あるいは数字及び文字列の組み合わせである。また、上記管理ファイルＫｆは、アプリケーションＡｐと、プロダクトキーＰｋとの対応関係が登録されたテーブルファイルである。
【００４１】
演算制御部７は、ＣＰＵ（Central Processing Unit）、ＲＯＭ（Read Only Memory）、ＲＡＭ（Random Access Memory）及び電気的に相互接続された各部と各種信号の送受信を行うインターフェイス回路等から構成されている。この演算制御部７は、上記ＲＯＭに記憶された各種演算制御プログラムに基づいて各種の演算処理を行うと共に各部と通信を行うことにより複合機Ａの全体動作を制御する。詳細については後述するが、演算制御部７は、ＵＳＢ通信部６のＵＳＢポート６１に装着されたＵＳＢメモリーＢに記憶されるアプリケーションのインストール処理を実行する。
【００４２】
次に、このように構成されたインストールシステムの複合機Ａの動作について説明する。
例えば、複合機Ａに追加的にアプリケーションをインストールしようとするユーザー（例えば、サービスマン）は、アプリケーションＡｐ、プロダクトキーＰｋ及び管理ファイルＫｆを記憶するＵＳＢメモリーＢをＵＳＢ通信部６のＵＳＢポート６１に装着する。そして、ユーザーは、操作表示部１を操作することによって、管理者モード画面（図３（ａ））をタッチパネル１３に表示させる。
【００４３】
ここで、複合機Ａの演算制御部７は、管理者モード画面の「Install App」ボタンが押下されると、図４に示す以下の特徴的な処理を行う。つまり、演算制御部７は、タッチパネル１３に表示される管理者モード画面の「Install App」ボタンが押下されると、ＵＳＢ通信部６のＵＳＢポート６１にＵＳＢメモリーＢが装着されているか否か判定する（ステップＳ１）。
【００４４】
演算制御部７は、ＵＳＢポート６１にＵＳＢメモリーＢが装着されていない場合（ＮＯの場合）、ＵＳＢメモリーＢが装着されていない旨を示す未装着通知画面（図３（ｂ）参照）をタッチパネル１３に表示させる（ステップＳ２）。一方、演算制御部７は、ＵＳＢポート６１にＵＳＢメモリーＢが装着されている場合（ＹＥＳの場合）、図３（ｃ）に示すように、ＵＳＢメモリーＢに記憶されているアプリケーションの一覧画面（アプリケーション一覧画面）をタッチパネル１３に表示させる（ステップＳ３）。
【００４５】
例えば、図３（ｃ）に示すように、アプリケーション一覧画面Ｖ１には、ＵＳＢメモリーＢに記憶される全てのアプリケーションＡｐの一覧と共に、チェックボックが表示されている。このチェックボックは、ユーザーにインストールするアプリケーションＡｐを選択させるためのものである。また、アプリケーション一覧画面に表示されるアプリケーションＡｐのうち、プロダクトキーＰｋが存在するものについては、右側に「Official」と表示され、プロダクトキーＰｋが存在しないものについては、右側に「Trial」と表示される。右側に「Trial」が表示されているアプリケーションＡｐは、期間あるいは起動回数限定付きのアプリケーションとしてインストールを許可されたものである。
【００４６】
また、アプリケーション一覧画面Ｖ１には、「すべて選択」ボタン、「戻る」ボタン及び「Install」ボタンが表示されている。「すべて選択」ボタンは、ユーザーに全てのアプリケーションＡｐをインストール対象として選択、つまり、全てのチェックボックスにチェックを付けるためのボタンである。また、「戻る」ボタンは、管理者モード画面に戻るためのボタンである。また、「Install」ボタンは、選択されたアプリケーションＡｐのインストールを実行するためのボタンである。
【００４７】
また、アプリケーション一覧画面Ｖ１の変形例として、図３（ｃ）に示すアプリケーション一覧画面Ｖ２を表示するようにしてもよい。このアプリケーション一覧画面Ｖ２では、プロダクトキーＰｋが存在しないアプリケーションＡｐをインストール対象から除外するために、選択不可としてグレー表示する。
【００４８】
演算制御部７は、アプリケーション一覧画面の「Install」ボタンが押下されることによる一括インストール指示を操作表示部１が受け付けたか否か判定する（ステップＳ４）。演算制御部７は、一括インストール指示を操作表示部１が受け付けていない場合（ＮＯの場合）、上述したステップＳ４の判定処理を繰り返す。
【００４９】
一方、演算制御部７は、一括インストール指示を操作表示部１が受け付けた場合（ＹＥＳの場合）、既に内部のＲＯＭに記憶されているアプリケーションＡｐが一杯であるか否か判定する（ステップＳ５）。
【００５０】
演算制御部７は、アプリケーションＡｐが一杯でない場合（ＮＯの場合）、選択されたアプリケーションＡｐ、つまりチェックボックスにチェックが付いているアプリケーションＡｐの一括インストール処理を実行する（ステップＳ６）。ここで、演算制御部７は、ＲＯＭの所定の保存場所に、選択された各アプリケーションＡｐ及び各プロダクトキーＰｋを保存する。
【００５１】
そして、演算制御部７は、所定の保存場所に、各アプリケーションＡｐ及び各プロダクトキーＰｋを保存すると、プロダクトキーＰｋを用いてアプリケーションＡｐを実行可能な状態にする活性化処理を自動で実行する。演算制御部７は、このような一括インストール処理を完了すると、一括インストール処理が完了した旨を示すインストール完了画面（図３（ｄ））をタッチパネル１３に表示させる（ステップＳ７）。
【００５２】
一方、演算制御部７は、内部のＲＯＭに記憶されているアプリケーションＡｐが一杯である場合（ＹＥＳの場合）、内部のＲＯＭに記憶されているアプリケーションＡｐを削除するか否かをユーザーに選択させるための削除選択画面（図３（ｅ）参照）をタッチパネル１３に表示させる（ステップＳ８）。
【００５３】
例えば、図３（ｅ）に示すように、削除選択画面には、演算制御部７の内部のＲＯＭに記憶されているアプリケーションＡｐの削除を選択するための「はい」ボタンと、アプリケーションの削除を選択せずにアプリケーション一覧画面Ｖ１に戻る「戻る」ボタンとが表示されている。
【００５４】
演算制御部７は、削除選択画面の「はい」ボタンが押下されると、図３（ｆ）に示すように、内部のＲＯＭに記憶されているアプリケーションＡｐの一覧画面（削除一覧画面）をタッチパネル１３に表示させる（ステップＳ９）。
【００５５】
例えば、図３（ｆ）に示すように、削除一覧画面には、内部のＲＯＭに記憶されている全てのアプリケーションＡｐの一覧と共に、チェックボックが表示されている。このチェックボックは、ユーザーに削除するアプリケーションＡｐを選択させるためのものである。
【００５６】
また、削除一覧画面には、「すべて選択」ボタン、「戻る」ボタン及び「Delete」ボタンが表示されている。「すべて選択」ボタンは、ユーザーに全てのアプリケーションＡｐを削除対象として選択、つまり、全てのチェックボックスにチェックを付けるためのボタンである。また、「戻る」ボタンは、削除選択画面に戻るためのボタンである。また、「Delete」ボタンは、選択されたアプリケーションＡｐの削除を実行するためのボタンである。
【００５７】
演算制御部７は、アプリケーション一覧画面の「Delete」ボタンが押下されることによる削除指示を操作表示部１が受け付けたか否か判定する（ステップＳ１０）。演算制御部７は、削除指示を操作表示部１が受け付けていない場合（ＮＯの場合）、上述したステップＳ１０の判定処理を繰り返す。
【００５８】
一方、演算制御部７は、削除指示を操作表示部１が受け付けた場合（ＹＥＳの場合）、内部のＲＯＭに記憶されている選択されたアプリケーションＡｐの削除処理を実行し（ステップＳ１１）、その後、ステップＳ６の処理、つまり一括インストール処理を実行する。
【００５９】
このような本実施形態によれば、複合機Ａの演算制御部７は、ＵＳＢメモリーＢに記憶されているアプリケーションＡｐの一覧をタッチパネル１３に表示させ、操作表示部１が受け付けた操作指示に基づいて選択されたアプリケーションの一括インストール処理を実行することによって、アプリケーションのインストールに要する時間を短縮することができる。
【００６０】
以上、本発明の実施形態について説明したが、本発明は上記実施形態に限定されることなく、例えば以下のような変形が考えられる。
（１）上記実施形態は、ＵＳＢメモリーＢに記憶されるアプリケーションＡｐの一括インストール処理を実行したが、本発明はこれに限定されない。本発明は、ＵＳＢメモリーＢに限らず、ＳＤカード、コンパクトフラッシュ（登録商標）、メモリスティック、スマートメディア、フロッピー（登録商標）ディスク、ＣＤ‐ＲＷ、ＤＶＤ‐ＲＷ及びＭＯディスク等のあらゆる記憶媒体に記憶されているアプリケーションＡｐの一括インストール処理を実行するようにしてもよい。
【００６１】
（２）上記実施形態は、複合機ＡにアプリケーションＡｐの一括インストール処理を実行させたが、複合機Ａ以外のその他の電子機器にアプリケーションＡｐの一括インストール処理を実行させるようにしてもよい。
【００６２】
（３）上記実施形態において、プロダクトキーＰｋに、インストールを許可する複合機Ａを識別するための情報（識別情報）が含まれているようにしてもよい。つまり、複合機Ａの演算制御部７は、プロダクトキーＰｋに含まれる識別情報に基づいて複合機Ａに対するインストールを許可する。また、この識別情報には、複数台の複合機Ａを指定するために、例えば識別情報が番号である場合には、その番号の範囲が設定さされていてもよい。
【符号の説明】
【００６３】
Ａ…複合機（電子機器）、Ｂ…ＵＳＢメモリー（記憶媒体）、１…操作表示部、２…画像読取部、３…画像データ記憶部、４…画像形成部、５…通信部、６…ＵＳＢ通信部、７…演算制御部（制御手段）、１１…操作表示制御部、１２…操作キー、１３…タッチパネル、２０…ＡＤＦ、３０…フラットベッド読取部、４１…ベルトローラー、４２…中間転写ベルト、４３Ｙ，４３Ｃ，４３Ｍ，４３Ｋ…画像形成ユニット、４４Ｙ，４４Ｃ，４４Ｍ，４４Ｋ…１次転写ローラー、４５…給紙カセット、４６…ピックアップローラー、４７…搬送ローラー、４８…レジストローラー、４９…２次転写ローラー、５０…分離除電部、５１…定着ローラー、５２…排紙ローラー、５３…排紙トレイ、５４…反転ローラー、５５…分岐ガイド、５６…反転紙搬送ローラー、５７…記録紙センサー、ａｙ，ａｍ，ａｃ，ａｋ…感光体ドラム、ｂｙ，ｂｍ，ｂｃ，ｂｋ…帯電部、ｃｙ，ｃｍ，ｃｃ，ｃｋ…レーザースキャニングユニット、ｄｙ，ｄｍ，ｄｃ，ｄｋ…現像ユニット、ｅｙ，ｅｍ，ｅｃ，ｅｋ…クリーナー、４１ａ…駆動ローラー、４１ｂ…従動ローラー、４１ｃ…テンションローラー、５１ａ…加熱ローラー、５１ｂ…加圧ローラー、Ｒ…記録紙、６１…ＵＳＢポート、Ａｐ…アプリケーション、Ｐｋ…プロダクトキー、Ｋｆ…管理ファイル、６１…ＵＳＢポート
【図１】
2015032031.tif 000003
【図２】
2015032031.tif 000004
【図３】
2015032031.tif 000005
【図４】
2015032031.tif 000006